(57)【要約】【課題】本発明は、画像等のデータを視認する人数に応じて適切に表示することができ、またその表示が簡易な両ディスプレイ用のパーソナルコンピュータ、及び該両ディスプレイ用のパーソナルコンピュータを用いた画像等の表示システムを提供することを課題とする。【解決手段】キーボードの設けられたパーソナルコンピュータ本体と、該パーソナルコンピュータ本体に連結され、キーボードにより画像データを表示するためのメインディスプレイ画面、該メインディスプレイ画面の裏面に設けられたサブディスプレイ画面を有する両面ディスプレイ用のパーソナルコンピュータにおいて、前記メインディスプレイ画面、及びサブディスプレイ画面がパーソナルコンピュータ本体より着脱自在であり、且つサブディスプレイ画面がメインディスプレイ画面と着脱自在に構成され、しかも前記サブディスプレイ画面には、一体的にプロジェクターが設けられていることである。【選択図】図１
2014146306.tif 000002
【特許請求の範囲】
【請求項１】
キーボードの設けられたパーソナルコンピュータ本体と、該パーソナルコンピュータ本体に連結され、キーボードにより画像データを表示するためのメインディスプレイ画面と、該メインディスプレイ画面の裏面側に設けられたサブディスプレイ画面を有する両面ディスプレイ用のパーソナルコンピュータにおいて、前記メインディスプレイ画面及びサブディスプレイ画面がパーソナルコンピュータ本体より着脱自在であり、且つ前記サブディスプレイ画面がメインディスプレイ画面と着脱自在に構成され、しかも前記サブディスプレイ画面には、一体的にプロジェクターが設けられていることを特徴とする両面ディスプレイ用のパーソナルコンピュータ。
【請求項２】
キーボードの設けられたパーソナルコンピュータ本体で作製、又は取り込んだ画像等の表示データをメインディスプレイ画面、及びサブディスプレイ画面に表示する両面ディスプレイ用のパーソナルコンピュータを用いた画像表示システムにおいて、前記画像等の表示データをメインディスプレイ画面に表示した後、該表示データより選択したデータを該メインディスプレイ画面より離脱したサブディスプレイ画面に表示し、又はサブディスプレイ画面に一体的に設けられたプロジェクターを介して選択したデータをスクリーン上に表示することを特徴とする両面ディスプレイ用のパーソナルコンピュータを用いた画像表示システム。
【発明の詳細な説明】
【技術分野】
【０００１】本発明は、文章、画像をメインディスプレイ画面及びサブディスプレイ画面に表示をすることのできる両面ディスプレイ用のパーソナルコンピュータ、及び該両面ディスプレイ用のパーソナルコンピュータを用いた画像等の表示システムに関する。【０００２】近年、ノートタイプやモバイルタイプ等の携帯型パーソナルコンピュータ、或いはデスクトップタイプのパーソナルコンピュータを用いて画像等を表示しながら商談、打ち合わせ、会議等が頻繁に行われる。【０００３】この際、使用するパーソナルコンピュータとして、特開２００２−１１６８４５号等に記載の２つのディスプレイ画面（メインディスプレイ画面、サブディスプレイ画面）を有するパーソナルコンピュータがある。【０００４】即ち、２人等少人数の場合は、パーソナルコンピュータのメインディスプレイ画面に画像等の表示データを表示しながら、商談等の相手にサブディスプレイ画面に表示データを表示し同時に同一の情報を視認することで使用する。【０００５】また、商談等の相手が多数の場合は、特開平１０−２１０４４号等に記載の、インタフェースケーブルによって接続されたプロジェクターを用いる。【０００６】即ち、メモリに蓄積した文章や画像の表示データをパーソナルコンピュータのディスプレイ画面に表示した後、該データをプロジェクターに転送し同じデータをスクリーン上に投影させ、同時に多数で視認することで使用する。
【発明が解決しようとする課題】
【０００７】上記両面ディスプレイ画面を有するパーソナルコンピュータは、商談等の相手に画像等の表示データを表示するサブディスプレイ画面がメインディスプレイ画面に対して固定しているために、サブディスプレイ画面を正面の一定の位置より見なければ、適切に画面の表示データを視認することができず不便であり、特に２人が同時に表示データを視認する場合に不便であった。
【０００８】また、メインディスプレイ画面の画像データと同一のデータをサブディスプレイ画面に表示するために、表示したくないデータ及び無駄なデータの表示についての問題点があった。
【０００９】さらに、プロジェクター装置を接続する場合は、常に別体のプロジェクター装置を接続する必要があり、その装置の運搬及び設置作業が不便であった。
【００１０】そこで、本発明は上記課題を解消し、メインディスプレイ画面の画像等のデータを表示する人数に応じて自在に、また、適切に表示することができる両面ディスプレイ用のパーソナルコンピュータ、及び該両面ディスプレイ用のパーソナルコンピュータを用いた画像等の表示システムを提供することを課題とする。
【課題を解決するための手段】
【００１１】上記課題を解決するための両面ディスプレイ用のパーソナルコンピュータは、請求項１に記載のように、キーボードの設けられたパーソナルコンピュータ本体と、該パーソナルコンピュータ本体に連結され、キーボードにより画像データを表示するためのメインディスプレイ画面と、該メインディスプレイ画面の裏面側に設けられたサブディスプレイ画面を有する両面ディスプレイ用のパーソナルコンピュータにおいて、前記メインディスプレイ画面及びサブディスプレイ画面がパーソナルコンピュータ本体より着脱自在であり、且つサブディスプレイ画面がメインディスプレイ画面と着脱自在に構成され、しかも前記サブディスプレイ画面には、一体的にプロジェクターが設けられていることを特徴とする。
【００１２】また、上記課題を解決するための両面ディスプレイ用のパーソナルコンピュータを用いた画像等の表示システムは、請求項２に記載のように、キーボードの設けられたパーソナルコンピュータ本体で作製、又は取り込んだ画像等の表示データをメインディスプレイ画面、及びサブディスプレイ画面に表示する両面ディスプレイ用のパーソナルコンピュータを用いた画像表示システムにおいて、前記画像等の表示データをメインディスプレイ画面に表示した後、該表示データより選択したデータをメインディスプレイ画面より離脱したサブディスプレイ画面に表示し、又はサブディスプレイ画面に一体的に設けられたプロジェクターを介して選択したデータをスクリーン上に表示することを特徴とする。
【作用及び効果】
【００１３】本発明の両面ディスプレイ用のパーソナルコンピュータ、及び該両面ディスプレイ用のパーソナルコンピュータを用いた画像表示システムの作用について、下記に記載する。
【００１４】先ず、請求項１に記載の両面ディスプレイ用のパーソナルコンピュータを用いる場合は、商談等で必要とする文章及び画像等の表示データをパーソナルコンピュータで作製し、該表示データをメインディスプレイ画面に表示するとともに、サブディスプレイ画面に表示する。
【００１５】この際、サブディスプレイ画面を見る人の人数に応じて、サブディスプレイ画面をメインディスプレイ画面より離反し、見易い位置に設置し、該サブディスプレイ画面を介して表示データを視認し、説明を行う。
【００１６】また、商談等２人以上の人数の場合、メインディスプレイ画面及びサブディスプレイ画面をパーソナルコンピュータ本体より離反し、さらにサブディスプレイ画面をメインディスプレイ画面より離脱し、両画面を利用して表示データを相手に視認し、説明する。
【００１７】また、人数が多い場合は、サブディスプレイ画面に設けられたプロジェクターを用いて表示データをスクリーン上に表示し、多数人が視認した状態で説明する。
【００１８】このように、相手の人数に応じてサブディスプレイ画面、メインディスプレイ画面、又はプロジェクターを選択し、より的確な画像等の表示データの表示を行い、相手に視認し易くする。
【００１９】また、両ディスプレイ画面を離脱、又はサブディスプレイ画面に設けられたプロジェクターを利用すことで、簡易に表示データを表示することができる。
【００２０】次に、請求項２に記載の両面ディスプレイ用のパーソナルコンピュータを用いた画像表示システムは、先ず、キーボードの設けられたパーソナルコンピュータ本体で、商談等に必要とする画像等を作成、取り込みを行う。
【００２１】そして、前記パーソナルコンピュータ本体に取り込んだ画像等の表示データをメインディスプレイ画面上で選択したデータを、メインディスプレイ画面より離反したサブディスプレイ画面に表示する。
【００２２】このため、相手は見易い位置でサブディスプレイ画面を視認し、内容を確認することができる。
【００２３】また、メインディスプレイ画面で表示データを選択してサブディスプレイ画面に表示できるために、相手に必要なデータのみ表示し、スムーズな商談等の処理作業を行うことができる。
【００２４】また、相手の人数が多数の会議等の場合は、サブディスプレイ画面に設けられたプロジェクターを選択し、サブディスプレイ画面を適切な位置に設置し、該プロジェクターを介してデータをスクリーン上に表示する。
【００２５】このため、必要とするデータを適切にスクリーンに表示し、同時に多数人でデータを視認することができる。
【００２６】このように、本発明は、パーソナルコンピュータ内のデータを適切に加工し、最適な表示媒体を選択して表示することができる。
【００２７】また、サブディプレイ画面が着脱自在であるために、表示データを適切表示することができる。
【発明を実施するための形態】
【００２８】本発明の両面ディスプレイ用のパーソナルコンピュータ、及び該両面ディスプレイ用のパーソナルコンピュータを用いた画像表示システムの一実施例について図面を用いて説明する。
【００２９】図１は本発明の両面ディスプレイ用のパーソナルコンピュータを示す概略説明側面図であり、図２はサブディスプレイ架体の取り外しを示す概略説明平面図であり、図３はメインディスプレイ架体、及びサブディスプレイ架体の取り外しを示す概略説明平面図であり、図４はプロジェクターを使用する場合を示す概略説明側面図であり、図５、図６は本発明の両面ディスプレイ用のパーソナルコンピュータの他実施例を示す概略説明正面図であり、図７は両面ディスプレイ用のパーソナルコンピュータを用いた画像表示システムを示すフローチャートである。
【００３０】本発明の両面ディスプレイ用のパーソナルコンピュータ１は、キーボード２の設けられたパーソナルコンピュータ本体３と、該パーソナルコンピュータ本体３にヒンジ部４を介して開閉自在に回動するメインディスプレイ架体５と、該ディスプレイ架体５のキーボード２側の表面に取り付けられたメインディスプレイ画面６と、前記ディスプレイ架体５の上部側で第２ヒンジ７を介して回動するサブディスプレイ架体８と、該サブディスプレイ架体８に取り付けられたサブディスプレイ画面７から構成されている。
【００３１】前記メインディスプレイ架体５及びサブディスプレイ架体は、それぞれヒンジ部４及び第２ヒンジ部７部分でスライドすることで、コンピュータ本体３より離脱可能であり、メインディスプレイ画面６及びサブディスプレイ画面９を独立して使用することができる。
【００３２】即ち、メインディプレイ画面６、及びサブディスプレイ画面９を同時に取り外し、又はサブディスプレイ画面７のみを取り外して、使用することができる。
【００３３】このため、視認する人数が少ない場合は、サブディスプレイ架体８をメインディスプレイ架体５より離反して所望の位置及び角度に設置し視認することができる。
【００３４】また、メインディスプレイ架体５をコンピュータ本体３より離反することで、２枚のディスプレイ画面を用いて、表示データを視認することができる。
【００３５】また、上記サブディスプレイ架体８にはプロジェクター１０が一体的に設けられ、前記メインディスプレイ画面６上の表示データを選択しプロジェクター１０を介して、スクリーン１１上に表示することができる。
【００３６】本発明の両ディスプレイ用のパーソナルコンピュータ１は上記のように構成され、次に該両ディスプレイ用のパーソナルコンピュータ１を使用して、文字、画像等の表示データを表示するシステムについて説明する。
【００３７】先ず、両ディスプレイ用のパーソナルコンピュータ１にキーボード２を用いて、文字、画像等の表示データを入力し、該表示データをメインディスプレイ画面６上に表示する。
【００３８】次に、サブディスプレイ架体８をメインディスプレイ架体５より離反し、視認する相手の見易い位置に設置する。
【００３９】この状態で、メインディスプレイ画面６上の表示データより選択したデータをサブディスプレイ画面９上に表示する。
【００４０】また、必要に応じては、メインディスプレイ架体５をコンピュータ本体３より離反し、２つのディスプレイ画面を用いて、さらに多くの表示データを表示し、時系列的にデータを用いた説明を可能とする。
【００４１】また、会議等データを視認する人数が多い場合は、先ず、サブディスプレィ架体８をメインディスプレイ架体５より離反し、スクリーン１１に対向する適切な位置に設置する。
【００４２】この状態で、キーボード２でプロジェクター１０を選択し、メインディスプレイ画面６に表示した表示データより選択したデータをスクリーン１１上にプロジェクター１０を介して表示する。
【００４３】このように、本発明の両ディスプレイ用のパーソナルコンピュータ１を用いた画像等の表示システムは、画像等を視認する人数に応じて最適なシステムを自在に選択し、より的確なデータ表を行うことができる。
【００４４】また、データ表示の構成が簡易であり、スムーズなデータ表示を行うことができる。
【００４５】また、上記実施例では、サブディスプレイ架体８をメインディスプレイ架体５も上端側に第２ヒンジ部７を介して回動自在に取り付けたが、サブディスプレイ架体８の取り付けはこれに限定するものでなく、例えば、サブディスプレイ架体８をメインディスプレイ架体５の一方の側面に第２ヒンジ部７を介して取り付けることで、該サブディスプレイ架体８を１８０度以上回動することで、メインディスプレイ画面６とサブディスプレイ画面９を同時に使用しながらキーボード２を操作することができる。
【００４６】さらに、上記実施例では、サブディスプレイ架体８をメインディスプレイ架体５に１台回動自在に取り付けたが、本発明のサブディスプレイ架体８の取り付けはこれに限定されるものでなく、例えば、メインディスプレイ架体５の左右の両側面に第２ヒンジ部７を介して、サブディスプレイ画面９の面積を半分にし、該半分の面積のサブディスプレイ画面９をそれぞれ取り付けた２枚のサブディスプレイ架体８をそれぞれ回動自在に取り付け、３枚のディスプレイ画面を同時に用いてキーボード２を操作することができ、また、各サブディスプレイ架体８をメインディスプレイ架体５より離脱して、それぞれを利用することができる。
【図面の簡単な説明】
【００４７】
【図１】本発明の両面ディスプレイ用のパーソナルコンピュータの一実施例を示す概略説明側面図
【図２】サブディスプレイ架体の取り外しを示す概略説明平面図
【図３】メインディスプレイ架体、及びサブディスプレイ架体の取り外しを示す概略説明平面図
【図４】プロジェクターの使用を示す概略説明側面図
【図５】本発明の両面ディスプレイ用のパーソナルコンピュータの他実施例を示す概略説明正面図
【図６】本発明の両面ディスプレイ用のパーソナルコンピュータの他実施例を示す概略説明正面図
【図７】本発明の両ディスクプレイ用のパーソナルコンピュータを用いた画像等の表示システムを示すフローチャート
【符号の説明】
【００４８】１−両ディスプレイ用のパーソナルコンピュータ、３−パーソナルコンピュータ本体、
５−メインディスプレイ架体、８−サブディスプレイ架体、１０−プロジェクター、
１１−スクリーン
【図１】
2014146306.tif 000003
【図２】
2014146306.tif 000004
【図３】
2014146306.tif 000005
【図４】
2014146306.tif 000006
【図５】
2014146306.tif 000007
【図６】
2014146306.tif 000008
【図７】
2014146306.tif 000009